(57)【要約】  方法は、ＲＡＮプロファイルインデキシングメッセージを、セルから該セルの無線カバレッジ内のユーザ装置（ＵＥ）に送信する工程であって、該ＲＡＮプロファイルインデキシングメッセージは、複数の物理層構成に対応する複数のＲＡＮパラメータセットと、該複数のＲＡＮパラメータセットに対応する複数のインデックスとを含む工程を含む。上記方法はまた、上記ＵＥに割り当てられたリソースブロックと、上記複数のＲＡＮパラメータセットのうちの１つに対応するインデックスとを示す、上記ＵＥに対するダウンリンク制御情報メッセージを送信する工程を含む。上記方法は、複数の物理層構成に対応する上記複数のＲＡＮパラメータセットを定義するＲＡＮプロファイルインデキシングオペレーションを実行する工程と、上記複数のＲＡＮパラメータに上記複数のインデックスを割り当てる工程と、をさらに含む。
2019523606.tif 000002
【特許請求の範囲】
【請求項１】
無線アクセスネットワーク（ＲＡＮ）プロファイルインデックスをシグナリングする方法であって、
セルによって、ＲＡＮプロファイルインデキシングメッセージをユーザ装置（ＵＥ）に送信する工程であって、該ＲＡＮプロファイルインデキシングメッセージは、複数の物理層構成に対応する複数のＲＡＮパラメータセットと、該複数のＲＡＮパラメータセットに対応する複数のインデックスとを含む工程と、
上記セルによって、上記ＵＥに対して割り当てられたリソースブロック（ＲＢ）を示すためのダウンリンク制御情報（ＤＣＩ）メッセージを該ＵＥに送信し、上記複数のＲＡＮパラメータセットのうちの１つに対応するインデックスを送信する工程と、を含むことを特徴とする方法。
【請求項２】
上記セルによって、上記複数の物理層構成に対応する上記複数のＲＡＮパラメータセットを定義するＲＡＮプロファイルインデキシングオペレーションを実行する工程と、
上記セルによって、上記複数のＲＡＮパラメータに上記複数のインデックスを割り当てる工程と、をさらに含むことを特徴とする請求項１に記載の方法。
【請求項３】
上記セルによって、上記ＵＥから、該ＵＥがサポートしない上記複数のインデックスのうちの少なくとも１つを示すための確認メッセージを受信する工程をさらに含むことを特徴とする請求項１に記載の方法。
【請求項４】
上記ＵＥから、上記ＲＡＮプロファイルインデキシングメッセージを送信した後に、上記セルによって、上記ＵＥが上記複数のインデックスのすべてをサポートすることを示すための確認応答メッセージを受信する工程をさらに含むことを特徴とする請求項１に記載の方法。
【請求項５】
上記セルによって、上記ＵＥから受信した上記確認メッセージに基づいた上記ＤＣＩメッセージを該ＵＥに送信することを特徴とする請求項３に記載の方法。
【請求項６】
上記確認メッセージに基づいて、上記セルによって、上記複数のＲＡＮパラメータセットおよび対応する複数のインデックスを再構成する工程と、
上記複数のＲＡＮパラメータセットおよび対応する複数のインデックスの変更を示すための上記ＵＥに対する無線リソース制御（ＲＲＣ）メッセージを上記ＵＥに送信する工程と、をさらに含み、
上記複数のＲＡＮパラメータセットおよび対応する複数のインデックスの変更は、新たなＲＡＮパラメータセット用の新たなインデックスを追加すること、既存のインデックスを削除すること、上記複数のＲＡＮパラメータセットのうちの１つを変更すること、および上記複数のインデックスのうちの少なくとも１つを取り消すことのうちの少なくとも１つをさらに含むことを特徴とする請求項３に記載の方法。
【請求項７】
上記ＲＡＮプロファイルインデキシングメッセージを上記ＵＥに送信した後に、上記セルによって、所定時間間隔をカウントする工程をさらに含み、該所定時間間隔の間、上記セルは、上記複数のＲＡＮパラメータセットおよび対応する複数のインデックスを保持することを特徴とする請求項１に記載の方法。
【請求項８】
上記セルによって、上記所定時間間隔の終了後、上記複数のＲＡＮパラメータセットおよび対応する複数のインデックスを再構成する工程と、
上記再構成された複数のＲＡＮパラメータセットおよび対応する複数のインデックスを示す、上記ＵＥに対するＲＲＣメッセージを送信する工程と、をさらに含むことを特徴とする請求項７に記載の方法。
【請求項９】
上記セルは、システム情報（ＳＩ）メッセージを用いて、上記ＲＡＮプロファイルインデキシングメッセージをブロードキャストすることを特徴とする請求項１に記載の方法。
【請求項１０】
上記セルは、ブロードキャストチャンネル（ＢＣＨ）を用いて、上記ＲＡＮプロファイルインデキシングメッセージを周期的にブロードキャストすることを特徴とする請求項１に記載の方法。
【請求項１１】
上記セルは、ユニキャストＲＲＣメッセージを用いて、上記ＲＡＮプロファイルインデキシングメッセージを上記ＵＥに対してシグナリングすることを特徴とする請求項１に記載の方法。
【請求項１２】
上記セルは、要求を受信すると、上記ＲＡＮプロファイルインデキシングメッセージを上記ＵＥに対してシグナリングすることを特徴とする請求項１１に記載の方法。
【請求項１３】
上記複数の物理層構成セットの各層は、副搬送波間隔値、チャネルコーディングモードおよびサイクリックプレフィックス長さ値、伝送時間間隔（ＴＴＩ）値、ならびに多重化モードのうちの少なくとも１つを含むことを特徴とする請求項１に記載の方法。
【請求項１４】
無線アクセスネットワーク（ＲＡＮ）プロファイルインデックスをシグナリングする方法であって、
セルによって、第１のＲＡＮプロファイルインデキシングメッセージを第１のユーザ装置（ＵＥ）に、第２のＲＡＮプロファイルインデキシングメッセージを第２のＵＥに送信する工程であって、
上記第１のＲＡＮプロファイルインデキシングメッセージは、第１の複数の物理層構成に対応する第１の複数のＲＡＮパラメータセットと、該第１の複数のＲＡＮパラメータセットに対応する第１の複数のインデックスとを含み、上記第２のＲＡＮプロファイルインデキシングメッセージは、第２の複数の物理層構成に対応する第２の複数のＲＡＮパラメータセットと、該第２の複数のＲＡＮパラメータセットに対応する第２の複数のインデックスとを含む工程と、
上記セルによって、上記第１のＵＥに割り当てられた第１のリソースブロック（ＲＢ）を示すための第１のダウンリンク制御情報（ＤＣＩ）メッセージを該第１のＵＥに送信し、上記複数のＲＡＮパラメータセットのうちの１つに対応する第１のインデックスを送信し、上記第２のＵＥに割り当てられた第２のリソースブロック（ＲＢ）を示すための第２のダウンリンク制御情報（ＤＣＩ）メッセージを該第２のＵＥに送信し、上記複数のＲＡＮパラメータセットのうちの１つに対応する第２のインデックスを送信する工程と、を含むことを特徴とする方法。
【請求項１５】
上記第１のＲＡＮプロファイルインデキシングメッセージは、上記第２のＲＡＮプロファイルインデキシングメッセージと同じであることを特徴とする請求項１４に記載の方法。
【請求項１６】
上記第１のＲＡＮプロファイルインデキシングメッセージにおける上記第１の複数のＲＡＮパラメータセットのうちの少なくとも１つは、上記第２のＲＡＮプロファイルインデキシングメッセージにおける上記第２の複数のＲＡＮパラメータセットのうちの対応する１つとは異なることを特徴とする請求項１４に記載の方法。
【請求項１７】
上記セルによって、上記第１のＵＥから第１の確認メッセージを、上記第２のＵＥから第２の確認メッセージを受信する工程をさらに含み、
上記第１の確認メッセージは、上記第１のＵＥがサポートしない、上記第１の複数のインデックスのうちの少なくとも１つを示し、
上記第２の確認メッセージは、上記第２のＵＥがサポートしない、上記第２の複数のインデックスのうちの少なくとも１つを示すことを特徴とする請求項１４に記載の方法。
【請求項１８】
無線通信装置であって、
アンテナモジュールに結合された通信モジュールであって、少なくとも１つのユーザ装置（ＵＥ）と通信するよう構成された通信モジュールと、
上記通信モジュールに結合されたプロセッサと、
上記プロセッサに結合されたメモリであって、上記プロセッサによって実行されたとき、上記プロセッサに、
上記通信モジュールを通じて、複数の物理層構成に対応する複数のＲＡＮパラメータセットと、該複数のＲＡＮパラメータセットに対応する複数のインデックスとを含むＲＡＮプロファイルインデキシングメッセージを、上記少なくとも１つのＵＥに送信させ、
上記通信モジュールを通じて、上記ＵＥに対して割り当てられたリソースブロック（ＲＢ）を示すためのダウンリンク制御情報（ＤＣＩ）メッセージを上記少なくとも１つのＵＥに送信させ、上記複数のＲＡＮパラメータセットのうちの１つに対応するインデックスを送信させる命令を記憶するよう構成されたメモリと、を備えることを特徴とする無線通信装置。
【請求項１９】
上記命令は、上記プロセッサによって実行されたとき、上記プロセッサに、さらに、
複数の物理層構成に対応する上記複数のＲＡＮパラメータセットを定義するＲＡＮプロファイルインデキシングオペレーションを実行させ、
上記複数のＲＡＮパラメータセットに上記複数のインデックスを割り当てさせることを特徴とする請求項１８に記載の無線通信装置。
【請求項２０】
上記命令は、上記プロセッサによって実行されたとき、上記プロセッサに、さらに、
上記ＲＡＮプロファイルインデキシングメッセージを送信した後に、上記セルによって、上記少なくとも１つのＵＥがサポートしない、上記少なくとも１つのＵＥから、上記複数のインデックスのうちの少なくとも１つを示すための確認メッセージを受信させることを特徴とする請求項１８に記載の無線通信装置。
【発明の詳細な説明】
【発明の詳細な説明】
【０００１】
〔関連出願の相互参照〕
本出願は、「ＲＡＮスライシングインデックスをシグナリングする方法およびそれを用いた無線通信装置」と題された、２０１６年８月２日に出願された米国仮特許出願第６２／３６９,８４７号（代理人管理番号ＵＳ６０４０８、以下「ＵＳ６０４０８出願」と称する）に関する。当該ＵＳ６０４０８出願の開示は、参照によってその全体が本出願に組み込まれる。
【０００２】
〔技術分野〕
本出願は、一般的に、無線通信に関し、特に、無線アクセスネットワーク（ＲＡＮ）プロファイルインデキシングをシグナリングする方法およびそれを用いた無線通信装置に関する。
【０００３】
〔背景技術〕
新しい無線（ＮＲ）は、第３世代パートナーシップ・プロジェクト（３ＧＰＰ）において、次世代（第５世代（５Ｇ））無線ネットワークのオペレーションをサポートする基幹技術として論じられている。ＮＲ技術は、フレキシブルな無線プロトコル構造およびアーキテクチャを提供し、例えば、高スループット、高信頼性、低レイテンシー、および少エネルギー消費などの多種多様のサービスシナリオ要件に対応するよう期待されている。
【０００４】
ＲＡＮスライシング（ＲＡＮプロファイルとも称する）は、重要なＮＲ実現技術のうちの１つとして想定されている。セルが、ＲＡＮプロファイル設定を動的に構成し、該セルにおける各ユーザ装置の通信能力およびサービス要件に対応することが望ましい。しかしながら、上記ＵＥが基地局と通信（例えば、送受信）するたびにシグナリングオーバーヘッドが生じるおそれがあり、ネットワークリソースの浪費および相当のエネルギー消費につながる。
【０００５】
このため、本技術分野では、シグナリングオーバーヘッドおよびレイテンシーを低減した、ＲＡＮプロファイル情報を提供する方法が必要とされている。
【０００６】
〔図面の簡単な説明〕
例示的な開示の態様は、添付の図面を参照して読むことによって、最もよく理解される。さまざまな構成は、原寸に比例して描かれておらず、さまざまな構成の寸法は、記載を明確にする目的で、任意で拡大または縮小してもよい。
【０００７】
図１は、本出願の例示的な実施態様に係る、無線通信システム用のＲＡＮプロファイルインデキシングオペレーションを示す図である。
【０００８】
図２は、本出願の例示的な実施態様に係る、ＲＡＮプロファイルインデキシングをシグナリングする方法を示す図である。
【０００９】
図３は、本出願の例示的な実施態様に係る、セル固有のＲＡＮプロファイルインデキシングオペレーションを示す図である。
【００１０】
図４Ａは、本出願の例示的な実施態様に係る、セル固有のＲＡＮプロファイルアーキテクチャの下でＲＡＮプロファイルインデキシングをシグナリングする方法を示すフローチャートである。
【００１１】
図４Ｂは、本出願の例示的な実施態様に係る、ＲＡＮプロファイルインデキシングをシグナリングする方法を示すフローチャートである。
【００１２】
図４Ｃは、本出願の例示的な実施態様に係る、所定時間間隔の後にＲＡＮプロファイルインデキシングをシグナリングする方法を示すフローチャートである。
【００１３】
図５は、本出願の例示的な実施態様に係る、ユーザ固有のＲＡＮプロファイルインデキシングオペレーションを示す図である。
【００１４】
図６Ａは、本出願の例示的な実施態様に係る、ＵＥがセルと通信する方法を示すフローチャートである。
【００１５】
図６Ｂは、本出願の例示的な実施態様に係る、ユーザ固有のＲＡＮプロファイルアーキテクチャの下でＲＡＮプロファイルインデキシングをシグナリングする方法を示すフローチャートである。
【００１６】
図６Ｃは、本出願の例示的な実施態様に係る、ユーザ固有のＲＡＮプロファイルアーキテクチャの下でＲＡＮプロファイルインデキシングをシグナリングする方法を示すフローチャートである。
【００１７】
図７は、本出願の例示的な実施態様に係る、情報要素の形式のインデキシングフォーマットの図である。
【００１８】
図８は、本出願の例示的な実施態様に係る、ビットマップインデキシングフォーマットの図である。
【００１９】
図９Ａは、本出願の例示的な実施態様に係る、ＲＡＮプロファイルをシグナリングする方法を示す図である。
【００２０】
図９Ｂは、本出願の例示的な実施態様に係る、ＲＡＮプロファイルをシグナリングする方法を示す図である。
【００２１】
図１０は、本出願の例示的な実施態様に係る、無線通信装置を示す図である。
【００２２】
〔詳細な説明〕
以下の記載は、本出願における実施態様に関する特定情報を含む。本出願における図面およびそれに伴う詳細な記載は、例示的な実施態様を対象としているにすぎない。特に断りのない限り、図の中で同様のまたは対応する要素は、同様のまたは対応する参照番号によって示されてもよい。さらに、本出願における図面および説明は、一般的に原寸に比例しておらず、実際の相対寸法に対応することは意図されていない。
【００２３】
整合性と容易な理解を目的として、同様の構成は、（いくつかの例では図示されないが、）例示的な図における数字によって、同一のものとみなす。しかしながら、異なる実施態様における構成は、他の点で異なっていてもよいため、図示される構成に狭く限定すべきではない。
【００２４】
本記載では、同一のまたは異なる実施態様のうちの１つ以上を指してもよい「１つの実施態様では、」または「いくつかの実施態様では、」という表現を使用する。「結合された（coupled）」という用語は、介入する要素を通じて直接的または間接的に接続されたと定義され、必ずしも物理的接続に限定されない。「含む（comprising）」という用語は、該用語が使用されるとき、「〜を含むが、〜だけに限定されない」を意味し、つまり、オープンエンド形式の包含またはそのような形式で記載された組み合わせ、グループ、系列およびその同等物における構成要素を特に意味する。
【００２５】
さらに、説明と非制限を目的として、例えば機能エンティティ、技術、プロトコル、基準などの具体的詳細は、記載された技術の理解を提供するために示される。他の例では、周知の方法、技術、システム、アーキテクチャなどについての詳細な記載は、不要な詳細によって記載を不明瞭にしないために、省略する。
【００２６】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアのインプリメンテーションは、例えばメモリまたは他の種類の記憶装置などのコンピュータ読み取り可能な媒体に記憶されたコンピュータ実行可能命令を含んでもよい。例えば、通信処理能力を有する１つ以上のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、プログラマブルロジックアレイでできていてもよい、および／または、１つ以上のデジタルシグナルプロセッサ（ＤＳＰ）を用いてもよい。本明細書に記載されている例示的な実施態様のうちのいくつかがコンピュータハードウェアにインストールされ、該ハードウェア上で実行されるソフトウェアを対象としているが、ファームウェアとして、あるいは、ハードウェアまたはハードウェアとソフトウェアとの組み合わせとして実行される代替の例示的な実施態様は十分、本開示の範囲内である。
【００２７】
上記コンピュータ読み取り可能な媒体の例としては、ランダムアクセスメモリ（ＲＡＭ）、読み取り専用メモリ（ＲＯＭ）、消去可能プログラム可能読み取り専用メモリ（ＥＰＲＯＭ）、電気的消去可能プログラム可能読み取り専用メモリ（ＥＥＰＲＯＭ、登録商標）、フラッシュメモリ、コンパクトディスク読み取り専用メモリ（ＣＤ−ＲＯＭ）、磁気カセット、磁気テープ、磁気ディスク記憶装置、またはコンピュータ読み取り可能な命令を記憶することが可能な任意の他の同等の媒体が挙げられるが、これらに限定されない。
【００２８】
本出願は、ＲＡＮプロファイルインデキシングメカニズムを採用して、ＲＡＮパラメータをシグナリングし、送受信オペレーションを容易にする方法であって、無線アクセスネットワークにおけるセルと少なくとも１つの移動局（例えば、ＵＥ）との間で、ＲＡＮプロファイルインデックスは、物理層構成に対応することを特徴とする方法を提供する。上記インデキシングメカニズムを用いてＲＡＮプロファイル情報を示すことによって、ＮＲネットワークシステムの柔軟性をサポートしつつ、ＲＡＮプロファイルに発生するシグナリングオーバーヘッドの量およびレイテンシーを大きく低減させることができる。
【００２９】
無線通信ネットワークアーキテクチャ（例えば、ロングタームエボリューション（ＬＴＥ）システム、ＬＴＥアドバンスト（ＬＴＥ−Ａ）システム、またはＬＴＥアドバンストＰｒｏシステム）は、少なくとも１つの基地局、少なくとも１つのユーザ装置（ＵＥ）、およびネットワークへの接続を提供する１つ以上の任意のネットワーク要素を典型的に含む。上記ＵＥは、上記ネットワーク（例えば、コアネットワーク（ＣＮ）、進化型パケットコア（ＥＰＣ）ネットワーク、発展型ユニバーサル無線地上波アクセス（Ｅ−ＵＴＲＡ）ネットワーク、次世代コア（ＮＧＣ）、またはインターネット）と、上記基地局によって設定された無線アクセスネットワーク（ＲＡＮ）を通じて、通信する。
【００３０】
本出願において、ＵＥとしては、移動局、携帯端末または携帯機器、ユーザ通信無線端末が挙げられるが、これらに限定されないことに留意されたい。
例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１つ以上のセルと、電波インターフェース上で、信号を送受信するよう構成されている。
【００３１】
基地局としては、ＬＴＥにおいて見られるようなノードＢ（ＮＢ）、ＬＴＥ−Ａにおいて見られるような進化型ノードＢ（ｅＮＢ）、ＵＭＴＳにおいて見られるような無線ネットワークコントローラ（ＲＮＣ）、ＧＳＭ／ＧＥＲＡＮにおいて見られるような基地局コントローラ（ＢＳＣ）、ＮＲにおいて見られるような新しい無線進化型ノードＢ（ＮＲ  ｅＮＢ）、ＮＲにおいて見られるような次世代ノードＢ（ｇＮＢ）、および無線通信を制御し、セル内の無線リソースを管理することが可能な任意の他の装置が挙げられるが、これらに限定されない。上記基地局は、１つ以上のＵＥに対応するために、無線インターフェースを通じてネットワークに接続してもよい。
【００３２】
基地局は、以下の無線アクセス技術（ＲＡＴ）のうちの少なくとも１つに従って、通信サービスを提供するよう構成されている。上記無線アクセス技術（ＲＡＴ）としては、マイクロ波アクセスのための世界相互運用性（ＷｉＭＡＸ）、グローバルモバイル通信システム（ＧＳＭ（登録商標）、２Ｇと称されることが多い）、ＧＳＭ  ＥＤＧＥ無線アクセスネットワーク（ＧＥＲＡＮ）、汎用パケット無線システム（ＧＲＰＳ）、基本広帯域符号分割多元接続（Ｗ−ＣＤＭＡ）に基づいたユニバーサル・モバイル・テレコミュニケーション・システム（ＵＭＴＳ、３Ｇと称されることが多い）、高速パケットアクセスシステム（ＨＳＰＡ）、ＬＴＥ、ＬＴＥ−Ａ、新しい無線（ＮＲ、５Ｇと称されることが多い）および／またはＬＴＥ−Ａ  Ｐｒｏが挙げられる。しかしながら、本出願の範囲は、上記のプロトコルに限定すべきではない。
【００３３】
上記基地局は、無線アクセスネットワークを形成する複数のセルを用いて、特定の地理的領域に無線カバレッジを提供するよう機能する。上記基地局は、上記セルのオペレーションをサポートする。各セルは、参照することによっても本書に含まれる３ＧＰＰ  ＴＳ  ３６．３００によって示された、その無線カバレッジ内の少なくとも１つのＵＥにサービスを提供するよう機能する。より具体的には、各セル（サービングセルと称されることが多い）は、そのセルカバレッジ内の１つ以上のＵＥに対応するためにサービスを提供する（例えば、各セルは、その無線カバレッジ内の少なくとも１つのＵＥに対して、ダウンリンクおよび任意でアップリンクリソースを、ダウンリンクおよび任意でアップリンクパケット送信のために、スケジューリングする）。上記基地局は、上記複数のセルを通じて、上記無線通信システムにおける１つ以上のＵＥと通信することができる。セルは、近接サービス（ＰｒｏＳｅ）をサポートするために、サイドリンク（ＳＬ）リソースを割り当ててもよい。各セルは、他のセルとの重複カバレッジ領域を有していてもよい。
【００３４】
上述の通り、ＮＲのフレーム構造は、高信頼性、高データ速度、低レイテンシー要件を満たしつつ、例えば高速大容量（ｅＭＢＢ）、大量の端末による通信（ｍＭＴＣ）、超高信頼低遅延（ＵＲＬＬＣ）などのさまざまな次世代（例えば、５Ｇ）通信要件により効率的に対応するために、フレキシブルな構成をサポートすることを目的としている。３ＧＰＰにおいて取り決められているような直交周波数分割多重（ＯＦＤＭ）は、ＮＲ波形の基準として機能してもよい。例えばアダプティブサブキャリアスペーシング、チャネルバンド幅、およびサイクリックプレフィックス（ＣＰ）などのスケーラブルＯＦＤＭ数秘学もまた使用してもよい。さらに、ＮＲには、３つの候補符号化体系、すなわち（１）低密度パリティ検査（ＬＤＰＣ）、（２）ポーラ符号、および（３）ターボ符号が考えられる。符号化体系アダプテーションは、チャネル条件および／またはサービスアプリケーションに基づいて構成されてもよい。
【００３５】
さらに、１つのＮＲフレームの伝送時間間隔ＴＸには、ダウンリンク（ＤＬ）送信データ、ガード期間、およびアップリンク（ＵＬ）送信データを少なくとも含めるべきであり、該ＤＬ送信データ、該ガード期間、および該ＵＬ送信データそれぞれの部分もまた、例えば、ＮＲのネットワークの動態に基づいて、構成可能であるべきであるということも考えられる。
【００３６】
本出願の例示的な実施態様によれば、さまざまなＲＡＮプロファイル技術が、ＮＲにおける上記のフレキシビリティをサポートするために、採用される。図１は、本出願の例示的な実施態様に係る、セルのＲＡＮプロファイルオペレーションを示す図である。図１に示すように、セルは、無線アクセスネットワークにおける異なるＵＥに、異なるリソースブロック（ＲＢ）ＲＢ１、ＲＢ２、ＲＢ３、ＲＢ４、およびＲＢ５を割り当ててもよい。各ＲＢは、無線リソースセットを表す。該無線リソースセットとしては、周波数領域における多数のサブキャリアに及ぶリソース要素群および時間領域における多数の記号が挙げられるが、これらに限定されない。各ＲＢは、異なるＰＨＹ構成を提供するよう構成されてもよい。図１に示すように、サブフレーム１０１の送信の後にサブフレーム１０３の送信が続く。
【００３７】
ＰＨＹ構成は、ＯＦＤＭ数秘学、サブキャリアスペーシング、送信タイプ（例えば、ＤＬ、ガード、ＳＬ、またはＵＬ）、符号化体系、変調スキーム、および送信モードなどを含んでもよい。さらに、特定のＲＡＮプロファイルを、上記セルと各セルカバレッジ領域内の上記ＵＥのそれぞれとの間の制御チャネル（例えば、物理ダウンリンク制御チャネル（ＰＤＣＣＨ））用に設定してもよい。
【００３８】
異なるリソースブロックは、スケジューリングオペレーションに応じて、同一または異なるＰＨＹ構成を有していてもよい。例えば、ＲＢ１を、１５ｋＨｚのサブキャリアスペーシング、０．２５ｍｓの伝送時間間隔（ＴＴＩ）、ＤＬ送信用のＬＤＰＣ符号化で構成してもよく、ＲＢ２を、６０ｋＨｚのサブキャリアスペーシング、０．７５ｍｓのＴＴＩ、およびＵＬ送信のターボ符号化で構成してもよい。上記セル（例えば、ＬＴＥ／ＬＴＥ−ＡにおけるｅＮＢ、ＮＲにおけるＮＲ  ｅＮＢ、またはＮＲにおけるＮＲ  ｇＮＢ）は、リソースブロックＲＢ１およびＲＢ２を、サブフレーム１０１内のＵＥ１およびＵＥ２それぞれに、ＵＥ１およびＵＥ２の能力に応じて、割り当ててもよい。
【００３９】
上記セルは、上記ＰＨＹ構成を、次の送信フレーム（例えば、サブフレーム１０３）において、例えば上記セルと上記ＵＥとの間のチャネル品質（例えば、ＣＱＩ）、上記ＵＥのサービス要件および／また利用可能なネットワークリソースなどの必須の送受信基準に応じて、再構成してもよい。例えば、サブフレーム１０３は、サブフレーム１０１におけるＲＢ１と同じブロックサイズを有するが、異なるＰＨＹ構成を有するＲＢ１を有していてもよい。各リソースブロックのサイズは、可変であってもよく、スケジューリングオペレーションに基づいて、動的に構成してもよい。例えば、サブフレーム１０１において割り当てられたＲＢ５のサイズは、サブフレーム１０３におけるＲＢ５のサイズよりも大きい。
【００４０】
セルは、ネットワークオペレーションまたはアプリケーションに基づいて、ＲＡＮプロファイル設定を動的に構成することができるため、該セルは、そのセルカバレッジ内の上記１つ以上のＵＥと常時通信し、該ＵＥが、それに応じて、対応するＲＢを適切に符号化／復号することができるように、物理層構成採用情報を該ＵＥに送らなければならない場合がある。
【００４１】
したがって、本出願の実施態様は、これらの動的なＰＨＹ構成に起因するシグナリングオーバーヘッドの量を減らすことによって、送信時の無線リソース消費も終端間送信の間に発生するレイテンシーも減らすことが可能な、ＲＡＮプロファイル指示シグナリングメカニズムを提供する。
【００４２】
本出願の例示的な実施態様によれば、新しい無線通信システムは、少なくとも１つの基地局と、少なくとも１つのＵＥとを備える。上記基地局は、無線カバレッジを、複数のセルを用いて無線アクセスネットワークを形成する特定の地理的領域に提供する。上記複数のセルは、基地局に通信連結し、該基地局は、該複数のセルのオペレーションを調整する。上記複数のセルは、１つ以上の重複カバレッジ領域を有していてもよい。各セルは、そのセルカバレッジ内の各ＵＥに対して、ダウンリンクおよびアップリンクリソースを有効に割り当て、スケジューリングする。各セルは、近接サービス（ＰｒｏＳｅ）通信をサポートするために、サイドリンク（ＳＬ）リソースをさらに割り当ててもよい。
【００４３】
各セルは、ＲＡＮプロファイルインデキシングオペレーションを実行し、複数のＰＨＹ構成に対応する複数のＲＡＮパラメータセット（例えば、ＰＨＹ構成１〜ＰＨＹ構成Ｍ（Ｍは整数））を定義する。各セルは、チャネル条件、利用可能なネットワークリソースの量、およびそのセルカバレッジに存在する上記ＵＥの能力のうちの少なくとも１つに基づいて、１つ以上のＰＨＹ構成を動的に利用する。本出願の実施態様によれば、ＰＨＹ構成のＲＡＮパラメータセットとしては、上記ＵＥが従い、パケット送受信と同時に適宜ＰＨＹ層信号を処理すべき、サブキャリアスペーシング値（例えば、ＯＦＤＭサブキャリアスペーシング）、チャネルコーディングモード、多重化モード、変調モード、フレームタイプモード、ＴＴＩ区間値、サイクリックプレフィックス長さ値、および送信モードが挙げられるが、これらに限定されない。
【００４４】
上記ＲＡＮプロファイルインデキシングオペレーションの実行時に、各セルは、ＲＡＮプロファイルＰＨＹ構成１〜ＰＨＹ構成Ｎのそれぞれに、対応するインデックス（例えば、インデックス１〜インデックスＮ（Ｎは整数））を割り当てる。各インデックスは、ＰＨＹ構成（例えば、ＬＴＥ／ＬＴＥ−ＡシステムにおけるＬ１構成）を有する特定のマッピングを有する。上記インデックス１〜インデックスＮは、上記ＲＡＮプロファイルＰＨＹ構成１〜ＰＨＹ構成Ｎと１対１の対応を有する。例えば、インデックス１は、ＰＨＹ構成１に対応するよう構成されてもよく、インデックス２は、ＰＨＹ構成２に対応するよう構成されてもよいなどとなる。
【００４５】
その後、各セルは、結果として特定のＲＡＮプロファイルＰＨＹ構成に対応する、特定のＲＡＮパラメータセットに対応するインデックスを単に送信すればよい。つまり、上記インデックスは、後の送信時に対応するＵＥに割り当てられた対応するＲＢに適用されたＲＡＮプロファイルのタイプを表し、シグナリングオーバーヘッドおよび発生しうるレイテンシーを大きく減らすことができる。
【００４６】
１つの実施態様では、各セルは、上記ＲＡＮプロファイルインデキシングオペレーションを実行した後に、１つまたは複数のインデックスをブロードキャストして、上記セルと上記１つ以上のＵＥそれぞれとの間の送受信オペレーションを容易にすることによって、ＲＡＮプロファイルアダプテーションを周期的にシグナリングしてもよい。
【００４７】
いくつかの実施態様では、各セルは、例えば、あるＵＥがセルカバレッジに入ったとき、または、該ＵＥからシステム情報（ＳＩ）の要求を受信すると、ユニキャスト送信によって、ＲＡＮプロファイルインデキシング情報をそのセルカバレッジ内の１つ以上のＵＥに送ってもよい。
【００４８】
図２は、本出願の例示的な実施態様に係る、ＲＡＮプロファイルインデキシングをシグナリングする方法を示す図である。
【００４９】
ブロック２１０において、セル（例えば、ＮＲシステムにおけるＮＲ  ｅＮＢ／ｇＮＢまたはＬＴＥ／ＬＴＥ−ＡにおけるｅＮＢ）は、例えば、ブロードキャストチャンネル（ＢＣＨ）によって、ＲＡＮプロファイルインデキシングメッセージを、そのセルカバレッジ内の１つ以上のＵＥに（例えば、周期的または非周期的に）送信する。上記ＲＡＮプロファイルインデキシングメッセージは、複数のＲＡＮパラメータセットを有するＲＡＮプロファイル設定に関する情報と、該複数のＲＡＮパラメータセットに対応する複数のインデックスとを少なくとも含む。上記複数のＲＡＮパラメータセットのそれぞれは、特定のＰＨＹ構成に対応する。あるＵＥ（例えば、ＵＥ１）は、上記ＲＡＮプロファイルインデキシングメッセージを受信すると、後の通信／受信オペレーション用に受信した上記ＲＡＮプロファイルインデキシング情報を記憶する。
【００５０】
ブロック２２０において、上記セルは、物理ダウンリンク制御チャネル（ＰＤＣＣＨ）におけるダウンリンク制御情報（ＤＣＩ）メッセージを用いて、上記ＲＡＮプロファイルインデキシングメッセージを上記ＵＥ（例えば、ＵＥ１）に送信する。上記ＤＣＩメッセージは、リソースブロックを割り当てた情報と、上記複数のＲＡＮパラメータセットのうちの１つに対応する、特定のＲＡＮプロファイルに関するインデックスとを含んでもよい。例えば、上記セルが、ダウンリンク（ＤＬ）送信について上記ＰＨＹ構成２が上記ＵＥ（例えば、ＵＥ１）に適用される物理ダウンリンク共有チャネル（ＰＤＳＣＨ）において、特定のリソースブロック（例えば、図１のＲＢ１）を割り当てることを決定すると、上記ＤＣＩメッセージは、ＲＢ１割り当ておよびインデックス２を示す情報を含んでもよい。
【００５１】
１つの実施態様では、上記セルは、スケジューリングオペレーションによって、上記ＰＤＳＣＨ内の上記リソースブロックを割り当ててもよい。スケジューリングは、周知の、当技術分野におけるリソース割り当て技術を含んでもよいが、該技術についての記載は、簡潔のため、ここでは省略する。
【００５２】
ブロック２３０において、上記ＵＥは、上記セルから受信した上記ＤＣＩメッセージを復号し、上記リソースブロックを割り当てた情報を取得する（すなわち、上記ＰＤＳＣＨにおける割り当てられたＲＢ（例えば、ＲＢ１）および対応するＲＡＮプロファイルインデックス（例えば、インデックス２）の割り当て）。上記ＲＡＮプロファイルインデックスに基づいて、上記ＵＥは、後の上記セルとの通信のために、上記ＰＨＹ構成をさらに取得する。
【００５３】
ブロック２４０において、上記セルは、上記割り当てられたリソースブロック（例えば、ＲＢ１）における上記ＵＥのダウンリンクデータを含むＰＤＳＣＨを、該ＵＥに送信する。ブロック２５０において、上記ＵＥは、上記ＲＡＮプロファイルインデックス（例えば、インデックス２）に対応する上記ＰＨＹ構成に従って、上記ＰＤＳＣＨにおける上記割り当てられた（allocated/assigned）リソースブロック（例えば、ＲＢ１）を復号する。上記ＲＡＮプロファイルインデキシングメカニズムを用いることによって、上記ＵＥは、さらなるＰＨＹ構成情報を必要とせずに、上記サービングセルから受信した上記インデックス情報によって、上記ＤＬ送信データを復号することができ、シグナリングオーバーヘッドおよびレイテンシーを減らすことができる。
【００５４】
１つの実施態様では、上記セルは、そのセルカバレッジ内の１つ以上のＵＥから上記システム情報の要求を受信すると、ＲＡＮプロファイルインデキシングオペレーションを実行し、ＲＡＮプロファイル設定を更新（例えば、ＲＡＮパラメータを変更）してもよい。上記セルは、その後、上記ＲＡＮプロファイル設定に対する更新または変更を、そのセルカバレッジ内の各ＵＥに送信してもよい。
【００５５】
１つの実施態様では、上記セルは、上記コアネットワーク（ＣＮ）からの、バックホール機能およびサービスアプリケーション処理のタイプを示すレポートを受信すると、上記ＲＡＮプロファイルインデキシングオペレーションを実行し、ＲＡＮプロファイル設定を更新してもよい。上記セルは、その後、上記ＲＡＮプロファイル設定に対する更新または変更をブロードキャストし、そのセルカバレッジ内の上記ＵＥに通知してもよい。
【００５６】
１つの実施態様では、それぞれのインデックスを有する少なくとも１つのリソースブロック（ＲＢ）を同一のＵＥに割り当てることが有利であり得る。別の実施態様では、それぞれのインデックスを有する同一のＲＢを異なるＵＥに割り当てることが有利であり得る。さらに別の実施態様では、同一のインデックスを有する異なるＲＢを異なるＵＥに割り当てることが有利であり得る。
【００５７】
例えば、あるセルが、そのセルカバレッジ内の２つのＵＥ（例えば、ＵＥ１およびＵＥ２）と通信しているとき、該セルは、同一のリソースブロックを両方のＵＥに割り当てるが、異なる変調スキームを示す異なるインデックスを割り当ててもよい。例えば、上記セルは、ＵＥ１に、割り当てられたＲＢを受信すると、非直交多重を適用するよう要求してもよく、ＵＥ２に、割り当てられたＲＢを受信すると、直交多重を適用するよう要求してもよい。
【００５８】
１つの実施態様では、上記基地局は、複数の無線通信装置を備えてもよい。上記複数の無線通信装置は、上記複数のセルのオペレーションをサポートするよう構成されている。より具体的には、上記無線通信装置はそれぞれ、アップリンク、ダウンリンク、および／またはサイドリンクリソースを、そのセルカバレッジ内の１つ以上のＵＥに割り当てるよう構成されてもよい。上記無線通信装置はそれぞれ、上記インデキシング、上記ＲＡＮプロファイル情報および対応するセルの物理層構成との関係を記憶するよう構成された内蔵メモリを備えてもよい。
【００５９】
特筆すべきことは、上記ＲＡＮプロファイルインデキシングオペレーションが、上記ＵＥのサービス要件およびシステム能力ならびに／または上記セルのネットワークリソースおよび能力に応じて、セルを基準としても（セル固有のＲＡＮプロファイルであっても）、ユーザを基準としても（ユーザ固有のＲＡＮプロファイルであっても）よいことである。言い換えれば、ＲＡＮプロファイルは、全体的なセルの動態に基づいて実行し、または、上記ＵＥの通信能力に対応するように実行してもよい。無線通信システムにおけるＲＡＮプロファイルインデキシングのシグナリングに関するさまざまな実施態様について、次に記載する。
【００６０】
セル固有のＲＡＮプロファイルインデキシングの実施態様
セル固有のＲＡＮプロファイルシナリオにおいて、上記ＲＡＮプロファイルインデキシングおよび物理層構成マッピングは、特定のセルにおける無線カバレッジ内のすべてのサービングＵＥについて共通であってもよい。しかしながら、異なるセルは、そのセルカバレッジ内に、それぞれ独自のインデキシングメカニズムおよび物理層構成マッピングを有していてもよい。
【００６１】
図３は、本出願の例示的な実施態様に係る、セル固有のＲＡＮプロファイルオペレーションを示す。例示的な無線通信システム３００は、無線アクセスネットワーク（ＲＡＮ）とコアネットワーク（ＣＮ）とを備える。上記ＲＡＮは、セル３１０ａとセル３１０ｂとを備える。各セル（例えば、セル３１０ａ／３１０ｂ）は、地理的領域をカバーする。セル３１０ａおよびセル３１０ｂの無線カバレッジは、図３に示すように、重複地理的領域を有していてもよい。セル３１０ａおよびセル３１０ｂは、基地局（例えば、物理的な基地局、図３に明示せず）に通信連結する。セル３１０ａおよびセル３１０ｂのオペレーションは、上記基地局によって調整される。無線通信システム３００は、現在セル３１０ａの無線カバレッジ内にあるＵＥ３１３ａとＵＥ３１３ｂとをさらに備える。ＵＥ３１３ｂは、ＵＥ３１３ｂに対してハンドオーバー処理が実行されてもよいように、セル３１０ｂの方へ移動している。上記ハンドオーバー処理中、セル３１０ａはソースセルであり、セル３１０ｂはターゲットセルである。セル３１０ａは、それぞれＰＨＹ構成１〜ＰＨＹ構成９を示す上記インデックス１〜インデックス９を採用してもよく、セル３１０ｂは、それぞれＰＨＹ構成１'〜ＰＨＹ構成９'を示すインデックス１'〜インデックス９'を採用してもよい。
【００６２】
無線通信装置３１１ａは、セル３１０ａに配置され、上記無線カバレッジを、対応するセル領域に提供してもよい。無線通信装置３１１ａは、上記基地局と通信し、ＵＥ３１３ａおよびＵＥ３１３ｂにサービスを提供する。無線通信装置３１１ｂは、セル３１０ｂに配置され、上記無線カバレッジを、対応するセル領域に提供してもよい。無線通信装置３１１ｂは、上記基地局と通信し、そのセルカバレッジ内の上記ＵＥにサービスを提供する。
【００６３】
図４Ａは、図３に従って示された、ＲＡＮプロファイルインデキシングをシグナリングする方法を示すフローチャートである。上記方法は、図３におけるセル３１０ａおよびセル３１０ｂの両方に適用できる。簡潔のため、セル３１０ａのみを、以下のセル固有のＲＡＮプロファイルオペレーションを詳述する際の例として、使用する。
【００６４】
ブロック４３１において、セル３１０は、複数の物理層構成（例えば、ＰＨＹ構成）のうちの対応する１つに対してそれぞれがマッピングする複数のＲＡＮパラメータセットを構成する。ブロック４３３において、セル３１０ａは、インデックスを、上記複数のＲＡＮパラメータセットのそれぞれに割り当てる。例えば、セル３１０ａは、インデックス１〜インデックス９を、ＰＨＹ構成１〜ＰＨＹ構成９のそれぞれに割り当ててもよい。ブロック４３５において、セル３１０ａは、上記ＲＡＮプロファイル設定（例えば、上記複数のＲＡＮパラメータセット）および対応するインデックスに関する情報を含むＲＡＮプロファイルインデキシングメッセージを、そのセルカバレッジ内のすべてのＵＥにブロードキャストする。セル３１０ａは、上記ＲＡＮプロファイルインデキシングメッセージを、そのセルカバレッジ内のすべてのＵＥに、所定の（周期的または非周期的な）時間間隔で、ブロードキャストしてもよい。ブロック４３７において、セル３１０ａは、ＤＣＩメッセージを、そのセルカバレッジ内のＵＥに送信し、該ＵＥに複数のリソースを割り当てる。ここで、上記ＤＣＩメッセージは、上記ＵＥに割り当てられた１つのリソースブロック（ＲＢ）と、上記複数のＲＡＮパラメータセットのうちの１つに対応するインデックスとを示してもよい。ブロック４３９において、セル３１０ａは、ダウンリンクデータを、ＰＤＳＣＨにおける上記割り当てられた（allocated/assigned）リソースブロックにおける上記ＵＥに送信する。
【００６５】
１つの実施態様では、無線通信システム３００における上記ＣＮは、例えばバックホール機能などの該ＣＮのオペレーション基準に基づいて、上記インデキシングおよび上記ＰＨＹ構成を、セル３１０ａおよびセル３１０ｂに提示してもよい。異なるセルは、異なるＰＨＹ構成に、終端間レイテンシー要件を満たすよう要求してもよい。１つの実施態様では、上記ＣＮは、無線通信システム３００における上記セル間のバックホール機能に基づいて、ＲＡＮプロファイルオペレーションを構成する１つ以上のネットワーク要素を備えてもよい。別の実施態様では、上記ＣＮは、上記バックホール機能に基づいて、上記セルに通知してもよく、上記セルは、上記バックホール機能を考慮に入れて、上記ＲＡＮプロファイルインデキシングを構成してもよい。
【００６６】
１つの実施態様では、セル３１０ａおよびセル３１０ｂは、同一のインデキシングメカニズムを採用してもよい。例えば、セル３１０ａ用の上記インデックス１〜インデックス９の上記ＰＨＹ構成１〜ＰＨＹ構成９は、セル３１０ｂのインデックス１'〜インデックス９'のＰＨＹ構成と同じであってもよい。より具体的には、関連した物理層構成を記述するために、無線通信システム３００において、既定かつ共通のインデックステーブルを使用してもよい。ここで、上記既定かつ共通のインデックステーブルは、上記ＣＮによって提供され、ＵＥ能力プロファイルに記録されてもよい。このようなシナリオにおいて、セル３１０ａおよびセル３１０ｂは、物理層構成マッピングを提供することを要求されない。むしろ、セル３１０ａおよびセル３１０ｂは、ブロードキャストまたはユニキャスト送信によって、それらのカバレッジ内でサポートされたインデックスを提供してもよい。
【００６７】
１つの実施態様では、セル３１０ａおよびセル３１０ｂは、異なるインデキシングメカニズムを採用してもよい。例えば、セル３１０ａによって採用された、上記ＰＨＹ構成１〜ＰＨＹ構成９に対応する上記インデックス１〜インデックス９は、セル３１０ｂによって採用された、上記ＰＨＹ構成１'〜ＰＨＹ構成９'に対応するインデックス１'〜インデックス９'とは異なっていてもよい。各セル（例えば、セル３１０ａ／３１０ｂ）は、ブロードキャストまたはユニキャスト送信によって、そのインデキシングおよび物理層構成マッピング情報を、そのカバレッジ内で、上記サービングＵＥに対して、シグナリングしてもよい。
【００６８】
１つの実施態様では、上記セルは、上記ＲＡＮプロファイルインデキシング情報を、上記ＵＥから受信したシステム情報の要求に基づいて、上記ＵＥに送信してもよい。具体的には、ＵＥ（例えば、ＵＥ３１３ｂ）が、１つのセルカバレッジ（例えば、セル３１０ａの無線カバレッジ）から隣接セルカバレッジ（例えば、セル３１０ｂの無線カバレッジ）へ移動すると、ＲＡＮプロファイルインデキシング取得処理が必要となり得る。ＵＥ３１３ｂは、ＲＡＮプロファイルインデキシング取得処理を実行してもよい。１つの実施態様では、ＲＡＮプロファイルインデキシング取得処理に従って、サービングセルは、所定時間経過後のターゲットセルのチャネル品質が該サービングセルよりも優れていることを示すレポートをＵＥから受信すると、上記採用されたＲＡＮプロファイルインデキシングおよび物理層構成マッピング情報を、該ターゲットセルと交換してもよい。上記ターゲットセルは、上記サービングセルに対して、（該サービングセルと比較した）ＲＡＮプロファイルインデキシングの差をフィードバックしてもよく、その後、上記サービングセルは、上記ＵＥに対して、ユニキャストメッセージにおける上記差をシグナリングしてもよい。上記ソースセルは、（１）上記ＵＥが上記ターゲットセルに対してサポートし得るよう構成され物理層構成と、（２）該ＵＥに対して構成された、該ソースセルのＲＡＮプロファイルインデキシングおよび物理層構成マッピング情報とを、該ターゲットセルに送ってもよい。したがって、上記ターゲットセルは、与えられた情報に基づいて、上記ＲＡＮプロファイルインデキシングの差を作ることができる。
【００６９】
より具体的には、図４Ｂは、本出願の図４Ａに従って示された、ＵＥからのシステム情報の要求に基づいて、ＲＡＮプロファイル情報をシグナリングする方法を示すフローチャートである。
【００７０】
ブロック４４１において、セル（例えば、セル３１０ｂ）は、そのセルカバレッジ内のＵＥ（例えば、ＵＥ３１３ｂ）から、要求（例えば、システム情報の要求）を受信する。ここで、上記ＵＥは、例えば、物理アップリンク制御チャネル（ＰＵＣＣＨ）を用いて、上記ＲＡＮプロファイルインデキシング情報および上記物理層構成マッピング情報の送信を要求する。ブロック４４３において、上記セル（例えば、セル３１０ｂ）は、例えば、ユニキャスト方式で、上記ＲＡＮプロファイルインデキシングおよび上記物理層構成マッピング情報を含む上記ＲＡＮプロファイルインデキシングメッセージを、上記ＵＥに送信してもよい。
【００７１】
上記の通り、セル３１０ａおよびセル３１０ｂのそれぞれが、該セルと対応する複数のＵＥとの間のチャネル品質、ネットワークシステム能力、または上記ＣＮからの提示に基づいて、そのＲＡＮプロファイルインデキシングを再構成し、変更してもよい。上記セルは、ダウンリンク共有チャネルにおける無線リソース制御（ＲＲＣ）メッセージ（例えば、RRCConnectionReconfigurationメッセージ）を用いて、そのセルカバレッジ内の１つ以上のＵＥと通信し、その後、ＲＡＮプロファイル変更を示してもよい。
【００７２】
１つの実施態様では、上記セルは、そのＲＡＮインデキシングおよび物理層構成マッピング情報を、半静的または動的に再構成してもよい。例えば、上記ＲＡＮプロファイルは、特定の期間で更新または変更されてもよい。上記セルおよび／または上記ＵＥにおける上記無線通信装置は、該セルが、ＲＡＮプロファイルインデキシング情報を、上記そのセルカバレッジ内の１つ以上のＵＥに送信した後、所定時間カウントするよう構成された、タイミング要素を備えてもよい。上記タイミング要素が上記所定時間カウントする前に、上記セルは、その現在のＲＡＮプロファイルインデキシングおよびＰＨＹ構成に対して何も更新しなくてもよい。言い換えれば、上記セルが上記ＲＡＮプロファイルインデキシング情報を送信した直後に、上記ＵＥは、上記所定時間が終了した後まで、上記インデキシングおよび物理層構成マッピング情報を追跡し続ける必要がない。
【００７３】
図４Ｃは、本出願の例示的な実施態様に係る、所定の時間間隔後、ＲＡＮプロファイルインデキシングをシグナリングする方法を示すフローチャートである。
【００７４】
ブロック４５１において、セル（例えば、セル３１０ａ）は、例えば、ＢＣＨを用いて、そのセルカバレッジ内で、現在のＲＡＮプロファイルインデキシングメッセージをブロードキャストした後、該セルは、所定の（predetermined/predefined）時間間隔（例えば、変更期間）をカウントするタイマーを有効に始動させる。１つの実施態様では、上記所定の（predetermined/predefined）時間間隔は、参照することによっても本書に含まれる３ＧＰＰ  ＴＳ  ３６．３３１において示されるように、８０ｍｓであるよう構成されてもよい。上記所定の（predetermined/predefined）時間間隔は、システム情報（ＳＩ）メッセージによって構成されてもよい。
【００７５】
ブロック４５２において、上記セル（例えば、セル３１０ａ）は、上記タイマーのカウント結果に従って、上記所定の（predetermined/predefined）時間間隔が終了したか否か判定する。上記所定の（predetermined/predefined）時間間隔が終了した場合、上記セルは、ブロック４５３を実行する。上記所定の（predetermined/predefined）時間間隔が終了していない場合、上記セルは、上記現在のＲＡＮプロファイル設定を保持し、ブロック４５２を再実行する。
【００７６】
ブロック４５３において、上記セル（例えば、セル３１０ａ）は、上記現在のＲＡＮプロファイルインデキシング設定を再構成するか否か判定する。上記セルは、例えば、チャネル条件、上記ＣＮからのフィードバック、および／または上記ＵＥからの能力レポートなどの、ネットワークの動態に関連する情報に基づいて、再構成が必要であるか否か判定する。上記セルが、上記現在のＲＡＮプロファイルインデキシング設定を再構成することを決定した場合、上記セルは、ブロック４５５を実行する。そうでない場合、上記セルは、ブロック４５４を実行し、上記現在のＲＡＮプロファイル設定を保持する。
【００７７】
ブロック４５５において、上記現在のＲＡＮプロファイルインデキシング設定を再構成することが決定された後、上記セル（例えば、セル３１０ａ）は、上記ＲＡＮプロファイルインデキシングオペレーションを実行し、上記ＲＡＮプロファイル、上記物理層に対するマッピング、および関連したインデキシング設定を再構成してもよい。上記セルは、上記ＣＮおよび／またはセルローディングによって提供された、ネットワークの動態に関連する情報に基づいて、上記ＲＡＮプロファイル設定を更新してもよい。
【００７８】
ブロック４５６において、上記再構成後、上記セル（例えば、セル３１０ａ）は、ＢＣＨを用いて、そのセルカバレッジ内で、上記更新されたＲＡＮプロファイルインデキシング情報を含む、上記更新されたＲＡＮプロファイルインデキシングメッセージをブロードキャストしてもよい。
【００７９】
１つの実施態様では、上記セル（例えば、セル３１０ａ）が、上記ＢＣＨを用いて、上記ＲＡＮプロファイル設定に対する上記更新または上記変更をブロードキャストし、そのセル内の上記ＵＥに通知した後、上記セルは、上記タイマーを（再）始動させ、ＢＣＨを用いて、所定の（predetermined/predefined）時間間隔値を、上記ＵＥに送信してもよい。上記所定の（predetermined/predefined）時間間隔値は、元の所定の（predetermined/predefined）時間間隔値と同一であっても異なっていてもよい。
【００８０】
上記ＲＡＮプロファイルインデキシングおよび物理層構成マッピングはまた、専用ＲＲＣメッセージ、定期システム情報（ＳＩ）、またはオンデマンドＳＩによって、上記ＵＥに送信されてもよい。例えば、上記セル（例えば、上記セル３１０ａ）が、ＢＣＨを用いて、上記更新されたＲＡＮプロファイル設定を送信し、そのセル内のそれぞれのＵＥに通知した後、該セルは、上記タイマーを始動させ、上記それぞれのセルによって提供された通信リンクを用いて、ユニキャストによって、上記所定時間間隔値を含む専用ＲＲＣメッセージを、上記特定のＵＥに送信してもよい。
【００８１】
別の実施態様では、上記セルが上記現在のＲＡＮプロファイルインデキシングメッセージをブロードキャストした直後に、上記ＵＥが、上記ＲＡＮプロファイル情報を再構成する要求を、通信した該セルに送る場合、該セルは、所定の（predetermined/predefined）時間間隔の終了後まで、上記現在のＲＡＮプロファイル設定を再構成しなくてもよい。
【００８２】
ＲＡＮ共有シナリオ（例えば、異なる公衆陸上移動通信ネットワーク（ＰＬＭＮ）用の配列セル）の下で、該セルは、ＰＬＭＮごとに、対応するインデキシングおよび物理層構成マッピングを有していてもよい。異なるＰＬＭＮネットワークは、上記提供されたアプリケーション／サービスに基づいて、異なるＲＡＮプロファイル設定を採用してもよい。
【００８３】
ユーザ固有のＲＡＮプロファイルインデキシングの実施態様
上記セル固有のＲＡＮプロファイルの実施態様とは異なり、ユーザ固有のＲＡＮプロファイルの実施態様の下で、各ＵＥは、セルカバレッジ内で、自装置専用ＲＡＮプロファイルインデキシングおよび物理層構成マッピング情報を有していてもよい。１つのセルカバレッジ内の上記複数のＵＥは、同一のＲＡＮプロファイルインデキシング設定を有していても、異なるＲＡＮプロファイルインデキシング設定を有していてもよい。
【００８４】
図５は、本開示の例示的な実施態様に係る、ユーザ固有のＲＡＮプロファイルインデキシングオペレーションを示す。例示的な無線通信システム５００は、無線アクセスネットワーク（ＲＡＮ）とコアネットワーク（ＣＮ）とを備える。上記ＲＡＮは、セル５１０ａとセル５１０ｂとを備える。各セル（例えば、セル５１０ａまたは５１０ｂ）は、地理的領域をカバーする。セル５１０ａおよびセル５１０ｂの無線カバレッジは、図５に示すように、重複地理的領域を有していてもよい。これらのセルは、基地局（例えば、物理的な基地局、図５に明示せず）に通信連結する。セル５１０ａおよびセル５１０ｂのオペレーションは、上記基地局によって調整される。ＵＥ５１３ａとＵＥ５１３ｂは、現在セル５１０ａの無線カバレッジ内にあり、セル５１０ａによって支配されている。ＵＥ５１３ｂは、ＵＥ５１３ｂに対してハンドオーバー処理が実行されてもよいように、セル５１０ｂの方へ移動している。上記ハンドオーバー処理中、セル５１０ａはソースセルであり、セル５１０ｂはターゲットセルである。
【００８５】
図５において、無線通信装置５１１ａは、セル５１０ａに配置され、上記無線カバレッジを、対応するセル領域に提供してもよい。無線通信装置５１１ａは、上記基地局と通信し、ＵＥ５１３ａおよびＵＥ５１３ｂにサービスを提供する。無線通信装置５１１ｂは、セル５１０ｂに配置され、上記無線カバレッジを、対応するセル領域に提供してもよい。無線通信装置５１１ｂは、上記基地局と通信し、そのセルカバレッジ内の上記ＵＥにサービスを提供する。
【００８６】
本実施態様におけるＵＥ５１３ａおよびＵＥ５１３ｂは、それらの異なる能力により、異なる物理層構成をサポートしてもよいため、異なるＲＡＮプロファイルおよび物理層構成を有する。ＵＥ５１３ａおよびＵＥ５１３ｂは、異なるインデックスセットおよび物理層構成マッピングを有していてもよい。具体的には、ＵＥ５１３ａは、それぞれＰＨＹ構成１〜ＰＨＹ構成９に対応するインデックス１〜インデックス９を採用してもよい。ＵＥ５１３ｂは、それぞれＰＨＹ構成１'〜ＰＨＹ構成７'に対応するインデックス１'〜インデックス７'を採用してもよい。
【００８７】
セル５１０ａおよびセル５１０ｂは、それらそれぞれの通信能力、ＵＥ５１３ａおよびＵＥ５１３ｂの契約のタイプ、サービス要件、ならびにＱｏＳ要件に基づいて、ＲＡＮプロファイルインデキシングオペレーション実行してもよい。
【００８８】
１つの実施態様では、無線通信システム５００における上記ＣＮは、例えばフロントホールおよびバックホール機能などのそのネットワークオペレーション基準に基づいて、上記インデキシングおよびＵＥインデキシングに関連する上記ＰＨＹ構成設定を、セル５１０ａおよびセル５１０ｂに提示してもよい。異なるセルは、異なるＰＨＹ構成に、終端間レイテンシー要件を満たすよう要求してもよい。１つの実施態様では、上記ＣＮは、例えば上記複数のＵＥと上記複数のセルとの間の上記フロントホール機能および／または無線通信システム５００における上記セル間の上記バックホール機能などの上記ネットワークオペレーション基準に基づいて、ＲＡＮプロファイル設定を構成する１つ以上のネットワーク要素を備えてもよい。
【００８９】
あるセルが、あるＵＥにＲＡＮプロファイルインデキシングを割り当てない（例えば、ＲＲＣ接続確立段階において、該ＵＥを、割り当てられたＲＡＮプロファイルインデキシングでシグナリングしなかった）場合、上記ＵＥは、図６Ａに示すように、送受信オペレーション時に、デフォルトＰＨＹ構成をリソースブロック処理に使用してもよい。
【００９０】
図６Ａは、本開示の例示的な実施態様に係る、ＵＥがセルと通信する方法を示すフローチャートである。
【００９１】
ブロック６０１において、ＵＥ（例えば、ＵＥ５１３ｂ）が、１つのセルカバレッジ（例えば、セル５１０ａの無線カバレッジ）から隣接セルカバレッジ（例えば、セル５１０ｂの無線カバレッジ）へ移動すると、該ＵＥは、隣接セルとのＲＲＣ接続を確立する。
【００９２】
ブロック６０３において、上記ＵＥ（例えば、ＵＥ５１３ｂ）は、現在のサービングセルである上記隣接セルが、上記ＵＥにＲＡＮプロファイルインデキシングを割り当てたか否か判定する。
【００９３】
上記ＵＥ（例えば、ＵＥ５１３ｂ）が、上記サービングセル（例えば、セル５１０ｂ）が該ＵＥにＲＡＮプロファイルインデキシングを割り当てなかったと判定すると、上記ＲＲＣ接続が確立されている間、該ＵＥは、ブロック６０７を実行し、所定のデフォルトＲＡＮプロファイル設定を用いて、該サービングセルとＵＬ／ＤＬ／ＳＬ送信を行ってもよい。上記デフォルトＰＨＹ構成は、上記ＵＥのメモリにおいて、再構成され、記憶されてもよい。
【００９４】
上記ＵＥ（例えば、ＵＥ５１３ｂ）が、上記サービングセル（例えば、セル５１０ｂ）が該ＵＥに上記ＲＡＮプロファイルインデキシングを割り当てたと判定すると、該ＵＥは、ブロック６０５を実行し、割り当てられたＲＡＮプロファイル設定を用いて、該サービングセル（例えば、セル５１０ｂ）とＵＬ／ＤＬ／ＳＬ送信を行う。
【００９５】
上記セル（例えば、セル５１０ｂ）が上記ＵＥにＲＡＮプロファイルインデキシングを割り当てる場合、図６Ｂによって示されるように、上記セルは、どのＲＲＣ状態（例えば、接続状態、休止状態、または停止状態）について上記ＲＡＮプロファイルインデキシングの各インデックスが適用され得るのかを示してもよい。いくつかの他の実施態様では、上記セルは、１つのＲＡＮプロファイルインデキシングに１つの特定のＲＲＣ状態を割り当ててもよい。したがって、上記セルは、上記ＵＥに対して、２つ以上のＲＡＮプロファイルインデキシングを構成してもよい。ここで、各ＲＡＮプロファイルインデキシングは、特定のＲＲＣ状態用に設定されている。
【００９６】
図６Ｂは、本出願の例示的な実施態様に係る、ユーザ固有のＲＡＮプロファイルアーキテクチャの下で、ＲＡＮプロファイルインデキシングをシグナリングする方法を示すフローチャートである。上記セルが、異なる状態間、上記ＲＡＮプロファイルインデキシングを示さない場合、上記ＵＥは、該ＲＡＮプロファイルインデキシングを、すべてのＲＲＣ状態について共通である、または、該ＵＥの現在のＲＲＣ状態にのみ限られているとして扱ってもよい。
【００９７】
ブロック６２１において、ＵＥ（例えば、ＵＥ５１３ｂ）が、あるセルカバレッジ（例えば、セル５１０ａの無線カバレッジ）から隣接セルカバレッジ（例えば、セル５１０ｂの無線カバレッジ）へ移動すると、隣接セルは、上記サービングセルからハンドオーバー準備要求を受信し、該ＵＥ（例えば、ＵＥ５１３ｂ）とのＲＲＣ接続を確立する。ブロック６２３において、上記隣接セル（現在のサービングセル）（例えば、上記セル５１０ｂ）は、上記ＵＥ（例えば、上記ＵＥ５１３ｂ）にＲＡＮプロファイルインデキシングを割り当てるべきか否か判定する。
【００９８】
上記サービングセル（例えば、セル５１０ｂ）が、ＲＲＣ接続確立時に上記ＵＥ（例えば、ＵＥ５１３ｂ）にＲＡＮプロファイルインデキシングを割り当てることを決定すると、上記サービングセルは、ブロック６２５を実行し、例えば、ユニキャストによって、後のＵＬ／ＤＬ／ＳＬ送信用に、上記割り当てられたＲＡＮプロファイルインデックスおよび対応するＲＲＣ状態を通知する、上記ＵＥに対するＤＣＩメッセージを送信する。
【００９９】
上記サービングセル（例えば、セル５１０ｂ）が、ＲＲＣ接続確立時に、ＲＡＮプロファイルインデキシングを、上記ＵＥ（例えば、ＵＥ５１３ｂ）に割り当てないことを決定すると、該セルは、ブロック６２７を実行し、すべてのＲＲＣ状態に対するデフォルトＲＡＮプロファイル設定を用いて、該ＵＥと後のＵＬ／ＤＬ／ＳＬ送信を行う。
【０１００】
１つの実施態様では、セル（例えば、セル５１０ａまたは５１０ｂ）は、Ｘ２インターフェースによって、その複数のサービングＵＥと関連する上記ＲＡＮプロファイルインデキシングを、隣接セルと（例えばハンドオーバー準備段階において）交換してもよい。ＵＥ（例えば、ＵＥ５１３ｂ）が、セルカバレッジ（例えば、セル５１０ａの無線カバレッジ）からターゲットセルカバレッジ（例えば、セル５１０ｂの無線カバレッジ）へ移動すると、上記ＲＡＮプロファイルインデキシング取得処理は、上記ターゲットセルが元のＲＡＮプロファイルインデキシング（例えば、セル５１０ａにおける上記ＲＡＮプロファイルインデキシングおよびマッピング）をサポートする場合、必要とされなくてもよい。さらに、上記ハンドオーバー準備段階において、上記ＵＥ（例えば、ＵＥ５１３ｂ）によってＲＡＮプロファイルインデキシングが受信されない場合、該ＵＥは、上記元のＲＡＮプロファイルインデキシングを、上記ターゲットセル（例えば、セル５１０ｂ）およびサイドリンクにおける他の１つまたは複数のＵＥとの送受信に使用すると自動的に判断してもよい。
【０１０１】
さらに、上記ユーザ固有のＲＡＮプロファイルの下で、上記ＲＡＮプロファイルインデキシングは、同一のセルカバレッジ（例えば、セル５１０ａまたはセル５１０ｂの無線カバレッジ）内で、半静的または動的に再構成してもよい。１つの実施態様では、上記セル（例えば、セル５１０ａまたはセル５１０ｂ）は、動作中のアプリケーションおよび上記サービングセルの動作状態に基づいて、特定のＵＥ用に、上記ＲＡＮプロファイルインデキシングを再構成してもよい。別の実施態様では、上記ＲＡＮプロファイルインデキシングは、上記ＵＥ（例えば、ＵＥ５１３ａまたはＵＥ５１３ｂ）が別のＰＬＭＮにおいてローミングしているときに、再度割り当てられてもよい。さらに別の実施態様では、上記ＲＡＮプロファイルインデキシングは、上記ＵＥ（例えば、ＵＥ５１３ａまたはＵＥ５１３ｂ）が、１つのセルから別のセルへの移動時（例えば、ハンドオーバー処理時）に状態遷移を行うときに、再度割り当てられてもよい。
【０１０２】
１つの実施態様では、上記セル（例えば、セル５１０ａまたはセル５１０ｂ）は、ＲＲＣメッセージまたは媒体アクセス制御（ＭＡＣ）制御要素（ＣＥ）によって、上記ＲＡＮプロファイルインデキシング情報を送信してもよい。
【０１０３】
図６Ｃは、本出願の例示的な実施態様に係る、ユーザ固有のＲＡＮプロファイルアーキテクチャの下で、ＲＡＮプロファイルインデキシングをシグナリングする方法を示すフローチャートである。ブロック６３１において、セル５１０ａは、それぞれが複数の物理層構成（例えば、ＰＨＹ構成）のうちの対応する１つに対してマッピングする、複数のＲＡＮプロファイル設定（例えば、複数のＲＡＮパラメータセット）を、そのセルカバレッジ内の少なくとも１つのＵＥ（例えば、ＵＥ５１３ａおよびＵＥ５１３ｂ）に対して構成する。ブロック６３３において、セル５１０ａは、対応するインデックスを、ＵＥ５１３ａおよびＵＥ５１３ｂの上記複数のＲＡＮプロファイル設定のそれぞれに割り当てる。例えば、セル５１０ａは、インデックス１〜インデックス９を、ＵＥ５１３ａのＰＨＹ構成１〜ＰＨＹ構成９に割り当ててもよい。セル５１０ａはまた、インデックス１'〜インデックス７'を、ＵＥ５１３ｂのＰＨＹ構成１'〜ＰＨＹ構成７'に割り当ててもよい。
【０１０４】
ブロック６３５において、セル５１０ａは、ＲＡＮプロファイルインデキシングメッセージを、ＵＥ５１３ａおよびＵＥ５１３ｂのそれぞれに提供する。ここで、上記ＲＡＮプロファイルインデキシングメッセージはそれぞれ、上記ＲＡＮプロファイル設定（例えば、複数のＲＡＮパラメータセット）および対応するインデックスに関する情報を含む。セル５１０ａは、所定の（周期的または非周期的）時間間隔で、対応するＲＡＮプロファイルインデキシングメッセージを、ＵＥ５１３ａおよびＵＥ５１３ｂのそれぞれに提供してもよい。１つの実施態様では、セル５１０ａは、異なる所定時間間隔を、ＵＥ５１３ａおよびＵＥ５１３ｂに提供してもよい。
【０１０５】
ブロック６３７において、セル５１０ａは、ＤＣＩメッセージを、ＵＥ５１３ａおよびＵＥ５１３ｂそれぞれに送信し、リソースを各ＵＥに割り当てる。ブロック６３９において、セル５１０ａは、ダウンリンクデータを、ＰＤＳＣＨにおける対応する割り当てられた（allocated/assigned）リソースブロックにおけるＵＥ５１３ａおよびＵＥ５１３ｂに送信する。本実施態様では、上記メッセージ（例えば、ブロック６３５における上記ＲＡＮプロファイルインデキシングメッセージおよびブロック６３７における上記ＤＣＩメッセージ）は、例えば、ユニキャストによって、ＵＥ５１３ａおよびＵＥ５１３ｂに提供される。
【０１０６】
本出願は、インデキシングシグナリング処理について考えられる３つの態様をさらに提供する。上記３つの態様は、（Ｉ）インデックスシグナリング用インデキシングフォーマット；（II）特定のＵＥからのＲＡＮプロファイルインデキシングおよび物理層構成マッピングの確認応答;（III）ＲＡＮプロファイルインデキシングの変更についての通知である。
【０１０７】
Ｉ．インデックスシグナリング用インデキシングフォーマット
１つの実施態様では、上記ＲＡＮプロファイルインデキシング情報は、情報要素（ＩＥ）の形式をとってもよい。図７は、本出願の例示的な実施態様に係る、情報要素の形式の、例示的なインデックスフォーマットを示す。
【０１０８】
図７に示すように、情報要素（ＩＥ）の形式のＲＡＮプロファイルインデキシングフォーマットは、インデックス０〜インデックスｋを有する。ここで、ｋは整数であり、各インデックスは、ＲＡＮパラメータセットを含む、対応するＲＡＮパラメータＩＥと関連している。各ＲＡＮパラメータＩＥは、物理層構成フィールドセットを含んでもよい。上記物理層構成としては、サブキャリアスペーシング、多重化方式、チャネルコーディング方式、伝送時間間隔（ＴＴＩ）、サイクリックプレフィックス、および変調スキームが挙げられるが、これらに限定されない。ここで、フィールドアドレスは、割り当てられたインデックスにリンクされている、採用された物理層パラメータと関連していてもよい。１つの実施態様では、上記ＩＥは、各ＲＡＮプロファイルインデックス（または各ＲＡＮプロファイルインデキシング）が関連しているＲＲＣ状態を含んでもよい。各インデックスは、上記ＩＥ内のフィールドセットと関連していてもよい。
【０１０９】
例えば、インデックス０は、サブキャリアスペーシング♯１、マルチプレックス♯１、チャネルコーディングスキーム♯２、ＴＴＩ♯１、ＣＰ♯１、および変調スキーム♯１に対応してもよい。インデックス１は、サブキャリアスペーシング♯１、マルチプレックス♯１、チャネルコーディングスキーム♯１、ＴＴＩ♯１、ＣＰ♯１、および変調スキーム♯１に対応してもよい。インデックスｋは、サブキャリアスペーシング♯１、マルチプレックス♯３、チャネルコーディングスキーム♯１、ＴＴＩ♯２、ＣＰ♯１、および変調スキーム♯４に対応してもよい。
【０１１０】
上記ＩＥにより多くの送信関係パラメータをカバーさせることが有利であり得る。このため、上記ＩＥは、図７に示す、表に記載されたフィールド／要素によって制限されるべきではない。さらに、セルは、チャネル条件、ネットワークシステム能力、および上記ＵＥの能力からの自身の判断に基づいて、上記ＩＥにおける上記フィールドを任意で追加してもよい。上記ＩＥに現れないフィールドについては、上記ＵＥは、デフォルトパラメータセットを適用する。
【０１１１】
他の利点の中でも、情報要素を用いてシグナリング処理用のＲＡＮプロファイルインデキシングを伝達することによって、セルは、ＰＨＹ構成を柔軟に構築することができ、例えば、チャネル条件、サービス要件、サービス品質（ＱｏＳ）要件などの基準に基づいて、該ＰＨＹ構成を、それぞれの情報要素に対してマッピングすることができる。
【０１１２】
図８は、本開示の例示的な実施態様に係る、ビットマップインデキシングフォーマットの図である。図８において、所定のビットマップ８１０は、ＲＡＮプロファイルインデキシングをシグナリングするセルによって使用されてもよい。ビットマップ８１０は、固定長および限定された数の成分を有する。上記成分としては、サブキャリアスペーシング８２１、チャネルコーディング８２３、ＴＴＩ値８２５、およびＣＰ長８２７が挙げられるが、これらに限定されない。ビットは、割り当てられ、例えば、サブキャリアスペーシング値、チャネルコーディングモード、ＴＴＩ値、ＣＰ長値、多重化モード、および／またはフレームタイプモードなどの物理層構成設定を表してもよい。上記セルは、特定のビットを操作することによって、特定のＰＨＹ構成設定を構成してもよい。上記ＵＥは、特定のビットマップを、専用ＰＨＹ構成に後ほど変換することができる。
【０１１３】
セルは、すべてのインデキシングフォーマットのペイロード長を指定するネットワーク要素を含み、関連したインデックスごとに、上記ビットマップを追加してもよい。ＲＡＮプロファイルインデキシングのビットマップフォーマットは、セル固有またはユーザ固有のＲＡＮプロファイルインデキシングにかかわらず、無線通信システム内のすべてのセルおよびＵＥならびにＵＥに有効である。
【０１１４】
ＩＩ．特定のＵＥ用のＲＡＮプロファイルインデキシングの確認応答
実際には、ＵＥは、上記サービングセルによって定義された物理層構成設定（例えば、ＰＨＹ構成）のすべてをサポートしてもしなくてもよい。このため、上記ＵＥが、上記ＲＡＮプロファイルインデキシング情報を受信した後、確認応答メッセージまたは確認メッセージを、上記セルに送信する必要がある。
【０１１５】
１つの実施態様では、上記セルが、上記ＲＡＮプロファイルインデキシング情報を、ユニキャスト方式で、そのセルカバレッジ（例えば、ユーザ固有のシナリオ）内の特定のＵＥに対してシグナリングするとき、該ＵＥは、該ＲＡＮプロファイルインデキシング情報を受信すると、確認メッセージで応答してもよい。より具体的には、上記ＵＥが、上記セルが割り当てたすべてのインデックスをサポートすることが可能である場合、上記確認メッセージは、現在定義されているすべてのＲＡＮプロファイルインデキシングが適用可能であることを示す確認応答メッセージ（例えば、ＡＣＫメッセージ）である。
【０１１６】
上記ＵＥが１つ以上のインデックスをサポートしない場合、上記確認メッセージは、上記ＵＥによってサポートされない１つ以上のＰＨＹ構成を示す、該ＵＥによってサポートされない１つ以上のＲＡＮプロファイルインデックスのリストを含んでもよい。上記ＵＥは、上記確認メッセージにおいて、該ＵＥが上記ＰＨＹ構成をサポートしない理由をさらに示してもよい。上記セルは、所定期間後に、上記ＵＥから受信した確認メッセージのタイプに基づいて、スケジューリングおよび送信オペレーションを有効に実行し、それに応じて後の処理を容易にする。上記所定期間は、上記セルが、ユニキャスト送信によって、上記ＲＡＮプロファイルインデキシング情報を上記ＵＥに送信した後に、カウントを開始する。
【０１１７】
ユーザ固有のＲＡＮプロファイルインデキシングシナリオの下では、セルは、上記確認メッセージをを受信すると、現在のＲＡＮプロファイルインデキシングおよびＰＨＹ構成を再構成してもよい。具体的には、上記セルは、上記ＵＥから受信したサポートされていないＲＡＮプロファイルインデキシング情報のリストに基づいて、現在のインデキシングおよびＰＨＹ構成設定を再構成または変更してもよい。
【０１１８】
１つの実施態様では、上記セルは、ブロードキャスト方式で（例えば、システム情報メッセージによって）、上記ＲＡＮプロファイルインデキシング情報を、その無線カバレッジ（例えば、セル固有のシナリオ）内の１つ以上のＵＥに対してシグナリングしてもよい。ＲＲＣ接続確立時に、ＵＥは、上記サービングセルから上記ＲＡＮプロファイルインデキシング情報を取得し、ＵＥ能力ネゴシエーション・プロセス中に、その能力を報告してもよい。
【０１１９】
より具体的には、インデキシング確認情報要素（ＩＥ）は、無効であるかサポートされていないＲＡＮプロファイルインデキシングを示すUECapabilityInformationメッセージの中に追加されてもよい。上記セル固有のシナリオの下では、上記セルは、上記インデキシング確認ＩＥを受信した後、現在のＲＡＮプロファイルインデキシングを再構成しない。さらに、上記ＵＥが、該ＵＥがサポートしない上記ＲＡＮプロファイルインデキシングを示す、上記セルに対するUECapabilityInformationメッセージを送る場合、該セルは、ＵＥ能力情報を記録するよう構成され、スケジューリングオペレーション中に、特定のＲＡＮプロファイルインデキシングをそれぞれのＵＥに使用するのを避ける。ＵＥが、上記サービングセルによって定義されたＲＡＮプロファイルインデキシングのすべてをサポートするとは限らない場合、該サービングセルは、デフォルトのスライシング設定で、（例えば、それぞれのＵＥをレガシーＵＥと考えて、）上記特定のＵＥに対応する。
【０１２０】
１つの実施態様では、上記セルが通信している上記ＵＥが停止状態にあるとき、該ＵＥは、確認応答または確認信号を送る必要はない。代わりに、上記セルは、停止状態用の上記ＲＡＮプロファイルインデキシングおよび関連した物理層構成マッピングがすべてのＵＥによってサポートされていることを確認する必要がある。
【０１２１】
ＩＩＩ．ＲＡＮプロファイルインデキシングの変更についての通知
セルは、上記ＲＡＮプロファイルインデキシングを再構成してもよい。１つの実施態様では、上記セルは、上記ＵＥ（例えば、ユーザ固有の設定）、コアネットワーク、および／または隣接セルからの要求に応じて、上記ＲＡＮプロファイルインデキシングを再構成してもよい。ＲＡＮプロファイルインデキシング再構成は、新たなＲＡＮプロファイルインデキシングおよび関連した物理層構成マッピングを追加すること、既存のＲＡＮプロファイルインデキシングを削除すること、特定のＲＡＮプロファイルインデキシングのために物理層構成を変更すること、既存のＲＡＮプロファイルインデキシングおよび関連した物理層構成マッピングのすべてを取り消すことのうちの少なくとも１つを含んでもよい。
【０１２２】
１つの実施態様では、上記セルは、RRCConnectionReconfigurationメッセージまたは特定のシステム情報を、ＲＡＮプロファイルのの変更を指定する動作フィールドによって、上記複数のサービングＵＥに送信してもよい。上記RRCConnectionReconfigurationメッセージにおける上記動作フィールドにおいて指定されたビットを用いて、ＲＡＮプロファイル情報の変更を示す。以下の表１は、ＲＲＣプロファイルインデキシング変更通知の例を示す。
【０１２３】
【表１】
2019523606.tif 000003
【０１２４】
上記動作フィールドが「００」に設定される場合、上記セルは、ＰＨＹ構成に対応する新たなＲＡＮプロファイルインデキシングおよびマッピングが追加されることを示す。上記動作フィールドが「０１」に設定される場合、上記セルは、指定されたＲＡＮプロファイルインデキシングが上記ＲＡＮプロファイルインデキシングリスティングから削除されることを示す。上記動作フィールドが「１０」に設定される場合、上記セルは、既存のＲＡＮプロファイルインデキシング設定が変更されることを示す。さらに、上記セルが、上記情報要素をＲＡＮプロファイルインデキシングシグナリングに用いる場合、該セルは、上記物理層構成の変更部分を表すデルタ情報によって、上記ＲＡＮプロファイルインデキシングを送信してもよい。上記セルが、ビットマップフォームをＲＡＮプロファイルインデキシングシグナリングに用いる場合、該セルは、新たなビットマップを送信してもよい。
【０１２５】
別の実施態様では、上記セルは、例えばProfileAdd、ProfileDelete、ProfileModify、またはProfileCancelなどのＲＲＣメッセージを、上記ＲＡＮプロファイルインデキシング設定に対するさまざまなに用いてもよい。
【０１２６】
上記ＵＥがＲＡＮプロファイルインデキシングの変更通知を受信した後、該ＵＥは、確認メッセージで応答し、ＲＡＮプロファイル変更のサポートを確認してもよい。
【０１２７】
本出願は、セル固有のＲＡＮプロファイルインデキシング用のＲＡＮプロファイルインデキシングオペレーションを提供する。図９Ａは、本出願の例示的な実施態様に係る、ＲＡＮプロファイルをシグナリングする方法を示す図である。
【０１２８】
ブロック９０１において、セルは、セル固有のＲＡＮプロファイルインデキシング情報を含むシステム情報ブロックｘ（ＳＩＢｘ）を、ＵＥに（例えば、周期的に、非周期的に、またはオンデマンドで）送信する。ここで、上記セル固有のＲＡＮプロファイルにおけるすべてのＲＡＮプロファイルインデキシングは、上記セルによって支配されているすべてのＵＥの間で共通（例えば、同一）である。上記セルは、ビットマップフォームインデキシングシグナリングを用いて、それぞれのインデックスの関連したＰＨＹ構成を示してもよい。単に例示のため、ＳＩＢｘの例示的な形態を以下に示す。
ＳＩＢｘ｛インデックス０：＝０  １０１１１...１０；
インデックス１：＝１００１１１...１１；
...
インデックス４：＝００１０１０...０１｝
ブロック９０３において、上記セルおよび上記ＵＥは、ＲＲＣ接続処理を実行し、後のデータ送信のためのＲＲＣ接続を確立する。
【０１２９】
ブロック９０５において、上記ＵＥは、ＲＲＣ接続確立を行っている間、該ＵＥは、上記ＳＩＢｘを受信し、それぞれのサービングセルとの後の送受信のために、上記セルの上記ＲＡＮプロファイル情報を記録する。上記ＵＥは、ＵＥ能力に基づいて、該ＵＥがどのＲＡＮプロファイルインデックスをサポートしないのか、さらに判定し、確認してもよい。ブロック９０７において、上記ＵＥは、該ＵＥがサポートしない１つ以上のインデックスを報告する、上記サービングセルに対するUECapabilityInformationメッセージ（例えば、ＲＡＮプロファイルインデックス３）を送信する。
【０１３０】
ブロック９０９において、上記セルは、ＰＤＣＣＨに応じて、上記ＵＥに対するリソースブロックを割り当てた処理を示す、該ＵＥに対するＤＣＩメッセージを送信する。
【０１３１】
ブロック９１１において、上記セルは、別のＳＩＢｘを送信し、上記ＲＡＮプロファイルインデキシングを再構成する。具体的には、上記セルが、（例えば、１つまたは複数のＵＥからの要求または上記ＣＮからの要求を受信すると、あるいは、該セルのオペレーション要件に基づいて、）１つの特定のインデキシングを再構成することを決定すると、該セルは、上記RRCConnectionReconfigurationメッセージまたはページングメッセージにおける上記動作フィールドを追加し、上記ＳＩＢｘにおける変更を示す。
【０１３２】
例えば、上記セルが、インデックス１を「１００１１１...１１１」から「１１１１１１...１１１」に変更する場合、該セルは、上記ＵＥをページングし、所定時間に（例えば、上記変更期間後に）、新たなＳＩＢｘを送信してもよい。ＵＥが、上記ＲＡＮプロファイルインデキシングの変更をサポートする能力がある場合に、該変更が該ＵＥまたは確認応答メッセージによってサポートされない場合、該ＵＥは、確認メッセージで上記セルに応答してもよい。
【０１３３】
本出願は、ユーザ固有のＲＡＮプロファイルインデキシングのためのＲＡＮプロファイルインデキシングオペレーションを提供する。図９Ｂは、本出願の例示的な実施態様に係る、ＲＡＮプロファイルをシグナリングする方法を示す図である。本実施態様における上記セルは、ユーザ固有のＲＡＮプロファイルインデキシングを採用しているため、ＲＡＮプロファイルインデキシングは、すべてのシステム情報（ＳＩ）において送信される必要があるとは限らない。代わりに、ＵＥは、最初にその能力を示す。
【０１３４】
ブロック９２１において、ＵＥは、該ＵＥの能力を示す、サービングセルに対するUECapabilityInformationメッセージを送信する。
【０１３５】
ブロック９２３において、上記サービングセルおよび上記ＵＥは、ＲＲＣ接続処理を実行し、後のデータ送信のためのＲＲＣ接続を確立する。
【０１３６】
ブロック９２５において、上記ＲＲＣ接続を確立した後、上記サービングセルは、上記UECapabilityInformationメッセージに基づいて、上記ＵＥ用の対応するＲＡＮプロファイルインデキシングを示す、該ＵＥに対する、ＲＡＮプロファイルインデキシング情報要素（ＩＥ）を含むRRCConnectionConfigurationメッセージを送信する。
【０１３７】
上記RRCConnectionConfigurationメッセージの例示的な形態は、以下の通りであってもよい。
RRCConnectionConfiguration｛
プロファイルインデキシング  ＩＥ；
インデックス０：＝スペーシング♯１、マルチプレックス♯３...
インデックス１：＝スペーシング♯４、マルチプレックス♯１...
...
インデックス３：＝スペーシング♯２、マルチプレックス♯１...｝
ブロック９２７において、上記ＵＥは、上記RRCConnectionConfigurationメッセージを送信した後、無効ＲＡＮプロファイルインデックスのすべて（例えば、該ＵＥによってサポートされないことを示す、マッピングされた物理層構成設定）を示す、上記サービングセルに対するProfileconfirmメッセージを送信する。
【０１３８】
ブロック９２９において、上記ＵＥから上記Profileconfirmメッセージを受信すると、上記サービングセルは、該ＵＥに対するリソースブロックを割り当てた処理を示す、ＰＤＣＣＨにおける該ＵＥに対するＤＣＩメッセージを送信する。
【０１３９】
ブロック９３１において、上記サービングセルは、ProfileAddメッセージを送信し、上記セルが各ＵＥの現在のＲＡＮプロファイル設定を再構成することを決定したときに新たに定義された、さらなるＲＡＮプロファイルインデキシングを追加する。
【０１４０】
本開示の例示的な実施態様は、上述の、（例えば、図２、図４Ａ、図４Ｂ、および図６Ｂによって示されるように）ＲＡＮプロファイルインデキシングをシグナリングする方法、（例えば、図６Ａによって示されるように）ＵＥがサービングセルと通信する方法、（例えば、図４Ｃ、図９Ａ、および図９Ｂによってそれぞれ示されるように）ユーザ固有およびセル固有のＲＡＮプロファイルインデキシングを再構成する方法のためのコンピュータ実行可能なプログラムを記憶する、非一時的なコンピュータ読み取り可能な媒体を提供する。上記非一時的なコンピュータ読み取り可能な記録媒体が、通信処理能力を有するプロセッサによって読み取られる場合、該プロセッサは、上述の、ＲＡＮプロファイルインデキシング方法およびユーザ固有およびセル固有の特定のＲＡＮプロファイルインデキシング方法を実行する。上記非一時的なコンピュータ読み取り可能な媒体は、フロッピーディスク（登録商標）、ハードディスク、コンパクトディスク（ＣＤ）、フラッシュドライブ、磁気テープ、アクセス可能なオンラインストレージデータベース、あるいは、当業者に知られている、例えばプログラム命令またはデータを記憶するなどの同様の機能を有する、任意のタイプの記憶媒体であってもよい。
【０１４１】
図１０は、本出願の例示的な実施態様に係る、セル用無線通信装置を示すブロック図である。上記無線通信装置は、図２に示したＲＡＮプロファイルインデキシングアルゴリズムを実行するよう構成されてもよい。図１０において、無線通信装置１０００は、アンテナモジュール１０１０と、通信モジュール１０２０と、メモリ１０３０と、処理ユニット１０４０とを備える。アンテナモジュール１０１０は、通信モジュール１０２０に結合されている。通信モジュール１０２０およびメモリ１０３０は、処理ユニット１０４０に結合するよう構成されている。
【０１４２】
アンテナモジュール１０１０は、１つ以上のアンテナを備えてもよく、そのサービングセル内の１つ以上のＵＥと、ビームフォーミング全通信を実行するよう構成されてもよい。通信モジュール１０２０は、上記セルが、アンテナモジュール１０１０を用いて、そのセルカバレッジ内の上記ＵＥとデータの送受信を実行することを可能にするための、１つ以上の送信機と、１つ以上の受信機とを備えてもよい。
【０１４３】
処理ユニット１０４０は、上記セルのオペレーションを制御し、該セルの中央処理コアとして機能するよう構成されされている。メモリ１０２０は、処理ユニット１０４０による実行のためのプログラム命令を記憶するよう構成されている。メモリ１０２０は、さらに、ＲＡＮプロファイルインデキシングデータおよび対応する物理層構成設定を記憶するためのメモリ空間を割り当てるよう構成されている。処理ユニット１０４０による実行時に記憶するされた上記プログラム命令によって、該処理ユニット１０４０は、１つ以上の上述のＲＡＮプロファイルインデキシングをシグナリングする方法を実行する。
【０１４４】
１つの実施態様では、無線通信装置１０００は、（図１０に明示しない）タイマーを備えてもよい。上記タイマーは、その無線通信装置１０００が、ブロードキャストまたはユニキャスト送信によって、その無線カバレッジ内の１つ以上のＵＥに、上記ＲＡＮプロファイルインデキシング情報をシグナリングした後、所定時間間隔を計るよう構成されている。上記所定時間間隔の間、無線通信装置１０００は、その現在のＲＡＮプロファイルインデキシングおよびＰＨＹ構成に対して更新を行わなくてもよい。
【０１４５】
さらに、無線通信装置１０００は、本出願に必須でなくてもよい、上記セルのネットワークオペレーションをサポートするための他の必要なネットワーク要素を備えてもよい。このような要素の詳細については、簡潔のため、ここでは省略する。
【図面の簡単な説明】
【０１４６】
【図１】本出願の例示的な実施態様に係る、無線通信システム用のＲＡＮプロファイルインデキシングオペレーションを示す図である。
【図２】本出願の例示的な実施態様に係る、ＲＡＮプロファイルインデキシングをシグナリングする方法を示す図である。
【図３】本出願の例示的な実施態様に係る、セル固有のＲＡＮプロファイルインデキシングオペレーションを示す図である。
【図４Ａ】本出願の例示的な実施態様に係る、セル固有のＲＡＮプロファイルアーキテクチャの下でＲＡＮプロファイルインデキシングをシグナリングする方法を示すフローチャートである。
【図４Ｂ】本出願の例示的な実施態様に係る、ＲＡＮプロファイルインデキシングをシグナリングする方法を示すフローチャートである。
【図４Ｃ】本出願の例示的な実施態様に係る、所定時間間隔の後にＲＡＮプロファイルインデキシングをシグナリングする方法を示すフローチャートである。
【図５】本出願の例示的な実施態様に係る、ユーザ固有のＲＡＮプロファイルインデキシングオペレーションを示す図である。
【図６Ａ】本出願の例示的な実施態様に係る、ＵＥがセルと通信する方法を示すフローチャートである。
【図６Ｂ】本出願の例示的な実施態様に係る、ユーザ固有のＲＡＮプロファイルアーキテクチャの下でＲＡＮプロファイルインデキシングをシグナリングする方法を示すフローチャートである。
【図６Ｃ】本出願の例示的な実施態様に係る、ユーザ固有のＲＡＮプロファイルアーキテクチャの下でＲＡＮプロファイルインデキシングをシグナリングする方法を示すフローチャートである。
【図７】本出願の例示的な実施態様に係る、情報要素の形式のインデキシングフォーマットの図である。
【図８】本出願の例示的な実施態様に係る、ビットマップインデキシングフォーマットの図である。
【図９Ａ】本出願の例示的な実施態様に係る、ＲＡＮプロファイルをシグナリングする方法を示す図である。
【図９Ｂ】本出願の例示的な実施態様に係る、ＲＡＮプロファイルをシグナリングする方法を示す図である。
【図１０】本出願の例示的な実施態様に係る、無線通信装置を示す図である。
【図１】
2019523606.tif 000004
【図２】
2019523606.tif 000005
【図３】
2019523606.tif 000006
【図４Ａ】
2019523606.tif 000007
【図４Ｂ】
2019523606.tif 000008
【図４Ｃ】
2019523606.tif 000009
【図５】
2019523606.tif 000010
【図６Ａ】
2019523606.tif 000011
【図６Ｂ】
2019523606.tif 000012
【図６Ｃ】
2019523606.tif 000013
【図７】
2019523606.tif 000014
【図８】
2019523606.tif 000015
【図９Ａ】
2019523606.tif 000016
【図９Ｂ】
2019523606.tif 000017
【図１０】
2019523606.tif 000018
【国際調査報告】
2019523606.tif 000019
2019523606.tif 000020